(57)【要約】【課題】  通信手段を介して定期刊行物データを受け取る、定期刊行物閲覧システムにおいて、閲覧者の利便性を高める。また、パーソナル新聞作成システムにおいても、閲覧者の利便性を高める。【解決手段】  定期刊行物閲覧システムにおいては、閲覧者が複数の異なる新聞などの定期刊行物を選択すると、選択された定期刊行物に対応して表示画面を複数に分割し、それぞれの分割画面に、選択された各定期刊行物の見出しを表示する。画面に表示される見出し活字は、選択された定期刊行物の原文における活字の相対的な大きさを反映している。パーソナル新聞作成システムにおいては、閲覧者が選択した複数の見出しと対応する記事とを、閲覧者が指定する出力サイズに収まるように、自動レイアウトする。【選択図】  図６
2010287151.tif 000002
【特許請求の範囲】
【請求項１】
通信手段を介して定期刊行物データを受け取り、表示画面を見ながら閲覧者が操作する端末手段を備え、
閲覧者が定期刊行物名を選択すると、選択された定期刊行物における複数の見出しのみを画面に表示し、これら表示された見出し活字は、選択された定期刊行物の原文における見出し活字の相対的な大きさを反映している、定期刊行物閲覧システム。
【請求項２】
通信手段を介して定期刊行物データを受け取り、表示画面を見ながら閲覧者が操作する端末手段を備え、
閲覧者が複数の異なる定期刊行物を選択すると、選択された定期刊行物に対応して表示画面を複数に分割し、それぞれの分割画面に、選択された各定期刊行物の見出しのみを表示する、定期刊行物閲覧システム。
【請求項３】
請求項２に記載の定期刊行物閲覧システムにおいて、分割画面に表示される見出し活字は、選択された定期刊行物の原文における活字の相対的な大きさを反映している、定期刊行物閲覧システム。
【請求項４】
請求項１から請求項３のいずれかに記載の定期刊行物閲覧システムにおいて、画面に表示された見出しを選択すると、その見出しに対応する記事内容を表示する、定期刊行物閲覧システム。
【請求項５】
閲覧者が希望する記事を選択して編集するパーソナル新聞作成システムであって、
通信手段を介して新聞データを受け取り、表示画面を見ながら閲覧者が操作する端末手段を備え、
閲覧者が新聞名を選択すると、選択された新聞における複数の見出しのみを画面に表示し、これら表示された見出し活字は、選択された新聞の原文における活字の相対的な大きさを反映している、パーソナル新聞作成システム。
【請求項６】
請求項５に記載のパーソナル新聞作成システムにおいて、画面に表示された見出しを選択すると、その見出しに対応する記事内容を表示する、パーソナル新聞作成システム。
【請求項７】
閲覧者が希望する記事を選択して編集するパーソナル新聞作成システムであって、
通信手段を介して新聞データを受け取り、表示画面を見ながら閲覧者が操作する端末手段を備え、
閲覧者が複数の異なる新聞を選択すると、選択された新聞に対応して表示画面を複数に分割し、それぞれの分割画面に各新聞の見出しのみを表示する、パーソナル新聞作成システム。
【請求項８】
請求項７に記載のパーソナル新聞作成システムにおいて、分割画面に表示される見出し活字は、選択された新聞の原文における活字の相対的な大きさを反映している、パーソナル新聞作成システム。
【請求項９】
請求項７または請求項８に記載のパーソナル新聞作成システムにおいて、画面に表示された見出しを選択すると、その見出しに対応する記事内容を表示する、パーソナル新聞作成システム。
【請求項１０】
請求項６または請求項９に記載のパーソナル新聞作成システムにおいて、選択された複数の見出し及び対応する複数の記事内容を、閲覧者が指定する出力サイズに収まるように自動レイアウトする、パーソナル新聞作成システム。
【発明の詳細な説明】
【技術分野】
【０００１】
本発明は、インターネット等の通信手段を利用する、新聞や週刊誌などの定期刊行物の閲覧システム、および、閲覧者が希望する新聞記事を選択し編集作成するパーソナル新聞作成システムに関する。
【０００２】
特に、本発明は、新聞、週刊誌、月刊誌などの定期刊行物をインターネット経由で閲覧するシステム、この閲覧システムを前提として、閲覧者が選択する任意の新聞記事を自動レイアウトしてパーソナル新聞を作成するシステムに利用できる。
【背景技術】
【０００３】
インターネットの普及により、多くの新聞社や出版社がそれぞれのウェブサイトを立ち上げており、個々人が自分の端末から新聞や雑誌の見出し等をいつでも閲覧できる環境になっている。例えば、週刊○○オンラインというサイトがあり、ここでは端末の画面上でその週刊誌の見出し一覧を見ることができる。また、大手新聞３社によるニュースサイト「あらたにす（登録商標）」があり、ここでは端末の画面上で新聞３社の見出しと記事を見比べることができる。
【０００４】
新聞は紙面での販売が通常であるが、購読者が希望する記事ばかりではなく、購読者は自分の意思によって記事を選択して読むことが多い。近年ではインターネットの普及もあって、閲覧者（購読者）自身が希望する記事を選択し、編集する「電子新聞」や「パーソナル新聞」と呼ばれる技術も数多く見受けられる。このような技術の例としては、例えば、特許文献１に開示の「パーソナル新聞販売システム及び同システム用プログラム」、特許文献２に開示の「ユーザーカスタマイズ可能な新聞制作システム」が挙げられる。
【先行技術文献】
【特許文献】
【０００５】
【特許文献１】特開２００２−２９８０１７号公報
【特許文献２】特開２０００−２７２０７７号公報
【発明の概要】
【発明が解決しようとする課題】
【０００６】
上述した現状の技術においては、インターネットを利用してユーザ個人が端末の画面で閲覧することを前提としており、紙媒体に慣れ親しんだ年配層のユーザにとって、利便性が高いとは言いがたい。また、最近になって、小型の携帯端末が低価格という理由もあって若年層を中心にして急速に普及し始めたが、その画面サイズが１０インチ程度であることから、新聞や週刊誌などの記事を画面で閲覧するには、利便性が高いとは言いがたい。
【０００７】
この利便性の点についてみると、上述の週刊○○オンラインサイト、大手新聞３社によるニュースサイト「あらたにす（登録商標）」においては、見出しが画一的に同じサイズの文字で単純に併記されているだけであって、新聞社や出版社あるいは記者の意図や記事の重み等は理解しがたい。また、大手新聞３社によるニュースサイトにおいては、３社の見出しと共に記事の冒頭部分が読めるようになっているが、端末画面のサイズ的制約からも、見出しと記事を併記するには無理があり、ユーザである閲覧者にとって利便性を悪くしている。
【０００８】
このような現状に鑑みて、本発明は、インターネット等を利用して新聞や週刊誌などの定期刊行物を閲覧する際に、また、パーソナル新聞を作成する際に、ユーザである閲覧者
の利便性を高めることを課題とする。
【課題を解決するための手段】
【０００９】
上記の課題を解決するため、請求項１に記載の発明による定期刊行物閲覧システムは、通信手段を介して定期刊行物データを受け取り、表示画面を見ながら閲覧者が操作する端末手段を備え、閲覧者が定期刊行物名を選択すると、選択された定期刊行物における複数の見出しのみを画面に表示し、これら表示された見出し活字は、選択された定期刊行物の原文における見出し活字の相対的な大きさを反映している。
【００１０】
また、請求項２に記載の発明による定期刊行物閲覧システムは、通信手段を介して定期刊行物データを受け取り、表示画面を見ながら閲覧者が操作する端末手段を備え、閲覧者が複数の異なる定期刊行物を選択すると、選択された定期刊行物に対応して表示画面を複数に分割し、それぞれの分割画面に、選択された各定期刊行物の見出しのみを表示する。
【００１１】
また、請求項３に記載の発明による定期刊行物閲覧システムは、請求項２に記載の定期刊行物閲覧システムにおいて、分割画面に表示される見出し活字は、選択された定期刊行物の原文における活字の相対的な大きさを反映している。
【００１２】
また、請求項４に記載の発明による定期刊行物閲覧システムは、請求項１から請求項３のいずれかに記載の定期刊行物閲覧システムにおいて、画面に表示された見出しを選択すると、その見出しに対応する記事内容を表示する。
【００１３】
上記の課題を解決するため、請求項５に記載の発明によるパーソナル新聞作成システムは、通信手段を介して新聞データを受け取り、表示画面を見ながら閲覧者が操作する端末手段を備え、閲覧者が新聞名を選択すると、選択された新聞における複数の見出しのみを画面に表示し、これら表示された見出し活字は、選択された新聞の原文における活字の相対的な大きさを反映している。
【００１４】
また、請求項６に記載の発明によるパーソナル新聞作成システムは、請求項５に記載のパーソナル新聞作成システムにおいて、画面に表示された見出しを選択すると、その見出しに対応する記事内容を表示する。
【００１５】
また、請求項７に記載の発明によるパーソナル新聞作成システムは、通信手段を介して新聞データを受け取り、表示画面を見ながら閲覧者が操作する端末手段を備え、閲覧者が複数の異なる新聞を選択すると、選択された新聞に対応して表示画面を複数に分割し、それぞれの分割画面に各新聞の見出しのみを表示する。
【００１６】
また、請求項８に記載の発明によるパーソナル新聞作成システムは、請求項７に記載のパーソナル新聞作成システムにおいて、分割画面に表示される見出し活字は、選択された新聞の原文における活字の相対的な大きさを反映している。
【００１７】
また、請求項９に記載の発明によるパーソナル新聞作成システムは、請求項７または請求項８に記載のパーソナル新聞作成システムにおいて、画面に表示された見出しを選択すると、その見出しに対応する記事内容を表示する。
【００１８】
また、請求項１０に記載の発明によるパーソナル新聞作成システムは、請求項６または請求項９に記載のパーソナル新聞作成システムにおいて、選択された複数の見出し及び対応する複数の記事内容を、閲覧者が指定する出力サイズに収まるように自動レイアウトする。
【発明の効果】
【００１９】
本発明の定期刊行物閲覧システムおよびパーソナル新聞作成システムによれば、閲覧者が選択した週刊誌や新聞に対応して、閲覧者の端末画面に見出しが表示され、これら見出しは、選択された週刊誌や新聞の原文における見出し活字の相対的な大きさを反映しているので、出版社・新聞社あるいは記者の意図、その記事の軽重などが把握しやすく、紙媒体に慣れ親しんだ年配層、ネット社会における若年層いずれにとっても利便性が高くなる。
【図面の簡単な説明】
【００２０】
【図１】本発明の全体構成の一例を示す図である。
【図２】本発明において、定期刊行物を新聞とした場合の閲覧およびパーソナル新聞作成にかかるフローチャートの一例である。
【図３】本発明におけるシステムを立ち上げた場合の表示画面の一例である。
【図４】本発明の定期刊行物閲覧システムおよびパーソナル新聞作成システムにおいて、ある新聞を選択した場合の表示画面の一例である。
【図５】本発明の定期刊行物閲覧システムにおいて、２つの異なる週刊誌を選択した場合の表示画面の一例である。
【図６】本発明の定期刊行物閲覧システムおよびパーソナル新聞作成システムにおいて、２つの異なる新聞を選択した場合の表示画面の一例である。
【図７】本発明のパーソナル新聞作成システムにおいて、選択した新聞、見出し、記事を自動レイアウトした結果の一例である。
【図８】本発明において、作成されたパーソナル新聞の外部出力選択に関する一例である。
【発明を実施するための形態】
【００２１】
以下、本発明を実施するための形態について説明する。
【００２２】
本実施形態の定期刊行物閲覧システムおよびパーソナル新聞作成システムは、インターネット等の通信手段を介して定期刊行物データを受け取る閲覧者（ユーザ）個人の端末手段を備える。このユーザ端末手段は、市販のＰＣ（パーソナルコンピュータ）や携帯ＰＣ等である。定期刊行物データは、出版社や新聞社が運営する基幹手段に保存されており、この基幹手段にインターネット等を介して接続し、データ閲覧、パーソナル新聞を作成する。基幹手段には、ＨＤＤ（ハードディスク）やＲＡＭ（ランダムアクセスメモリ）等の記憶手段と、ＣＰＵ（中央演算処理装置）等の制御手段を備える。記憶手段には複数の出版社、新聞社の記事データが保存されている。制御手段は、閲覧者の端末操作による指示や要求に応じて動作する。
【実施例】
【００２３】
以下、本発明の実施例について図面を参照して説明する。
【００２４】
図１は、本発明の全体構成の一例を示す図である。端末手段であるユーザ端末１は、プリンタ２を備える。ユーザは、インターネット等の通信手段３を介して、基幹手段４から定期刊行物のデータを受け取り、ユーザ端末１の画面に表示して閲覧する。基幹手段４には、ＨＤＤ（ハードディスク）やＲＡＭ（ランダムアクセスメモリ）等の記憶手段５と、ＣＰＵ（中央演算処理装置）等の制御手段を備える。記憶手段５には複数の出版社、新聞社の記事データが保存されている。制御手段は、ユーザ端末１の操作による指示や要求に応じて動作する。
【００２５】
図１において符号６は別のユーザ端末を示す。また、符号７はコンビニＡに設置されたプリンタ、符号８は新聞販売店Ｂに設置されたプリンタ、符号９は郵便局Ｃに設置された
プリンタ、符号１０は宅配業者Ｄに設置されたプリンタである。これらプリンタ７〜１０は、インターネット３を経由して基幹手段４からの指示に基づいてパーソナル新聞を紙出力できる。そして、例えば郵便局Ｃで紙出力したパーソナル新聞１１は、ユーザ（閲覧者）へ配達される。
【００２６】
図２は、定期刊行物を新聞とした場合の閲覧およびパーソナル新聞作成にかかるフローチャートの一例である。閲覧者がユーザ端末１を起動し、本発明のシステムにログインして（ステップＳ１）、端末画面を見ながら希望する新聞や見出しを選択していく（ステップＳ２）。希望する新聞や見出しが確定すると、ユーザ独自のパーソナル新聞の作成となる（ステップＳ３）。このパーソナル新聞の作成については後述する。
【００２７】
データとして完成したパーソナル新聞を、図１における外部プリンタ７〜１０のいずれかを選択して紙出力することが可能であり、図２における（ステップＳ４）にて閲覧者が外部出力を利用するかどうか選択できる。ここで、外部出力を利用しないで、ユーザ端末１にデータ保存したり、ユーザプリンタ２で紙出力する場合には、その新聞データ量に応じた料金が端末画面に表示される（ステップＳ５）。ユーザ端末１にてログオフの操作をすれば、システムが終了する（ステップＳ６）。
【００２８】
ステップＳ４において外部出力を利用する場合は、どの場所の外部出力を使うかが選択できる（ステップＳ７）。さらに、外部で紙出力したパーソナル新聞を配達してもらうかどうかも選択できる（ステップＳ８）。これらステップＳ４、Ｓ７、Ｓ８については後述する。
【００２９】
ステップＳ８において、配達を希望しない場合（自分で受け取りに行く場合）、その時点での新聞データ量や紙出力についての料金が端末画面に表示される（ステップＳ９）。また、ステップＳ８において、配達を希望する場合、その新聞データ量、紙出力および配達にかかる料金が端末画面に表示される（ステップＳ１０）。そして、ユーザ端末１にてログオフの操作をすれば、システムが終了する（ステップＳ６）。
【００３０】
図３は、本システムを立ち上げた場合のスタート画面の一例である。この例では、○○新聞１２ａ、△△新聞１２ｂ、××新聞１２ｃの３誌から選択できる。また、第一面記事１３ａ、総合記事１３ｂ、地域記事１３ｃからも選択できる。さらに、政治１４ａ、経済１４ｂ、スポーツ１４ｃ、国際１４ｄ、広告１４ｅなど各カテゴリーも選択できる。また、週刊◆◆１５ａ、週刊◎◎１５ｂも選択できる。これらの選択枝はあくまでも一例である。
【００３１】
図４は、ある１つの新聞を選択した場合の表示画面の一例であり、図３のスタート画面において、○○新聞１２ａを選択し、さらに総合１３ｂを選択した場合の見出し表示である。総合１３ｂを選択しているので、表示された見出し１６ａ、１６ｂ、１６ｃ、１６ｄ、１６ｅ、１６ｆは、様々な分野のものとなっている。これら各見出し１６ａ〜１６ｆの活字の大きさは、○○新聞の原文における見出し活字の相対的な大きさを反映している。例えば、１つの見出し１６ｂにおける活字の大小は、新聞原文における大小を反映している。また、２つの見出し１６ｃ、１６ｆの活字の大小関係は、新聞原文における相対的な大きさを反映している。
【００３２】
図５は、図３の画面において週刊◆◆１５ａと週刊◎◎１５ｂを選択した場合のユーザ端末１の画面表示を示す。この例では、画面を左右に２分割し、左側に週刊◆◆１５ａの見出し１７ａ、１７ｂ、１７ｃを表示し、右側に週刊◎◎１５ｂの見出し１８ａ、１８ｂ、１８ｃを表示している。この図５の例においても、画面に表示される見出し活字の大きさは、週刊◆◆１５ａ、週刊◎◎１５ｂそれぞれの原文における見出し活字の相対的な大
きさを反映している。また、図５において、見出し１７ａと１８ａは、それぞれ新型インフルエンザ・マスクについてのもので相互に関係し、画面上でも左右対応する位置に表示されている。
【００３３】
図６は、図３の画面において○○新聞１２ａと××新聞１２ｃを選択した場合のユーザ端末１の画面表示を示す。この例では、画面を左右に２分割し、左側には○○新聞１２ａの見出し１６ａ、１６ｂ、１６ｄを表示し、右側には××新聞１２ｃの見出し１９ａ、１９ｂを表示している。この図６の例においても、画面に表示される見出し活字の大きさは、○○新聞１２ａ、××新聞１２ｃそれぞれの原文における見出し活字の相対的な大きさを反映している。この図６においても、相互に関係する見出し１６ａと１９ａ、見出し１６ｄと１９ｂは、左右対応する位置に表示されている。
【００３４】
図７は、図２におけるステップＳ３のパーソナル新聞作成に関する説明であり、選択した新聞、見出し、記事を自動レイアウトした結果の一例である。図２のステップＳ２で、○○新聞１２ａ、△△新聞１２ｂ、××新聞１２ｃの３つを選択している。見出しとしては１６ａ、１９ａ、１９ｃ、２０ａの４つを選択している。ユーザが出力サイズ（Ａ３、Ａ４など）を指定すると、それぞれ対応する記事１６ａｋ、１９ａｋ、１９ｃｋ、２０ａｋのデータ量を含めて自動レイアウトする。このレイアウトされたパーソナル新聞１１の結果が図７である。ここでは、日付の表示２１は上部の１ヶ所だけであるが、各新聞記事ごとに日付を入れても良い。
【００３５】
図８は、図２のステップＳ４、Ｓ７（外部出力の選択）、配達の希望（ステップＳ８）についての説明であり、ユーザ端末１の画面表示の一例である。ステップＳ４は外部紙出力の利用を選択するもので、利用する、利用しない、のいずれか一方を選択する。ステップＳ７では、外部紙出力する場所を選択する。この画面例における選択欄２７は、コンビニＡと、その住所、ユーザ（閲覧者）自宅からのコンビニＡまでの距離が表示されている。同様に、選択欄２８、２９、３０にも出力場所、住所、距離が表示されている。したがって、ユーザ（閲覧者）は、これらの表示を考慮して自由に選択でき、利便性が高くなっている。また、ステップＳ８では、配達を希望か、自分で受け取るかのいずれかを選択できる。この例で最も近いコンビニＡに何かの用事がある場合には、自分で受け取る、を選択すれば良い。
【符号の説明】
【００３６】
１  端末手段（ユーザ端末）
２  プリンタ
３  通信手段（インターネット）
４  基幹手段
５  記憶手段
７  プリンタ
８  プリンタ
９  プリンタ
１０プリンタ
１１  パーソナル新聞
【図１】
2010287151.tif 000003
【図２】
2010287151.tif 000004
【図３】
2010287151.tif 000005
【図４】
2010287151.tif 000006
【図５】
2010287151.tif 000007
【図６】
2010287151.tif 000008
【図７】
2010287151.tif 000009
【図８】
2010287151.tif 000010